(57)【要約】【課題】  ベンディングロールによる曲げ加工を行うことなく、通常の簡単なプレス加工のみで湾曲形状を形成することが可能であり、それによりパネル板の表面に波板模様やその他の凹凸模様を形成することができ、しかも湾曲形状の形状安定性に優れた湾曲パネルを提供する。【解決手段】  曲げ弾性を有する長方形状のパネル板１における一対の縁部に、直線状態を維持する補強縁７を裏面内向きに形成するとともに、他の一対の縁部を可撓性のある自由端縁８とし、パネル板の裏面で両自由端縁に沿って、略全長にわたって湾曲縁１３を設けた剛性を有する保形部材３を配置し、保形部材の湾曲縁をパネル板の裏面に直接的又は間接的に圧接するとともに、保形部材の両端部を両補強縁に固定し、パネル板を湾曲形状に保持する。【選択図】        図４
2006204657.tif 000002
【特許請求の範囲】
【請求項１】
曲げ弾性を有する長方形状のパネル板における一対の縁部に、直線状態を維持する補強縁を裏面内向きに形成するとともに、他の一対の縁部を可撓性のある自由端縁とし、前記パネル板の裏面で両自由端縁に沿って、略全長にわたって湾曲縁を設けた剛性を有する保形部材を配置し、該保形部材の湾曲縁を前記パネル板の裏面に直接的又は間接的に圧接するとともに、該保形部材の両端部を前記両補強縁に固定し、前記パネル板を湾曲形状に保持することを特徴とする湾曲パネル。
【請求項２】
前記両保形部材の間に、略全長にわたって湾曲縁を設けた補助保形部材を単又は複数間隔を置いて配置し、該補助保形部材の湾曲縁を前記パネル板の裏面に直接的又は間接的に圧接するとともに、該保形部材の両端部を前記両補強縁に固定してなる請求項１記載の湾曲パネル。
【請求項３】
前記パネル板の自由端縁側の端部で、該自由端縁を覆うように化粧部材を前記両保形部材に外覆して取付けてなる請求項１又は２記載の湾曲パネル。
【請求項４】
前記パネル板の裏面の略全面に補強板を重合状態で配置し、該補強板を前記パネル板の両補強縁で保持するとともに、前記保形部材又は前記保形部材と補助保形部材の湾曲縁を当該補強板に圧接してなる請求項１〜３何れかに記載の湾曲パネル。
【発明の詳細な説明】
【技術分野】
【０００１】
本発明は、湾曲パネルに係わり、更に詳しくは折畳み式テーブル等のテーブル又は机の幕板として、あるいは間仕切パネル、一般建築用パネル、機械筐体のパネル部品として使用可能な湾曲パネルに関するものである。
【背景技術】
【０００２】
通常、湾曲パネルは、金属板を所定の湾曲形状にベンディングロールで曲げ加工した後、端縁部をプレス加工して補強縁を折曲形成して製造されている。しかし、意匠上の観点からパネル板の表面に波板模様やその他の凹凸模様をプレス加工する場合には、ベンディングロールで曲げ加工することができなくなる。
【０００３】
特許文献１には、パネル本体と、補強部材とを具備してなり、パネル本体が平面に復帰しようとする弾性的な保形力と、補強部材の弾性的な保形力との釣り合いによって所定曲面形状に湾曲させてなる湾曲パネルであって、パネル本体は、面板部の対向２辺に該面板部の湾曲を許容する変形折曲片を形成するとともに、他の対向２辺に該２辺をそれぞれ直線状態に保持するための補強折曲片を設けてなる平面的なもので、弾性変形可能な材料により作られており、補強部材は、前記所定曲面形状よりも小さいカーブを有したもので、強制的に湾曲させたパネル本体の変形折曲片に止着されている湾曲パネルが開示されている。ここで、前記変形折曲片が、長手方向に沿って間欠的に切込みを有した鍔状、Ｌ字形あるいはコ字形のものであり、前記補強部材が、鋼板を横断面Ｌ字形に折曲げた補強アングル、鋼板を横断面コ字形に折曲げた補強チャンネル、あるいは鋼板を折曲げた補強パイプである。
【０００４】
しかし、特許文献１に記載されたものは、パネル本体と補強部材との相反する方向への弾性的な保形力の釣り合いによって湾曲形状が保たれているので、パネル自体では形状安定性に乏しいこと、変形折曲片に形成した間欠的な切込み部分で曲がるので、パネル表面が滑らかに湾曲しないことといった欠点を有している。
【特許文献１】特許第２６０５４８５号公報
【発明の開示】
【発明が解決しようとする課題】
【０００５】
そこで、本発明が前述の状況に鑑み、解決しようとするところは、ベンディングロールによる曲げ加工を行うことなく、通常の簡単なプレス加工のみで湾曲形状を形成することが可能であり、それによりパネル板の表面に波板模様やその他の凹凸模様を形成することができ、しかも湾曲形状の形状安定性に優れた湾曲パネルを提供する点にある。
【課題を解決するための手段】
【０００６】
本発明は、前述の課題解決のために、曲げ弾性を有する長方形状のパネル板における一対の縁部に、直線状態を維持する補強縁を裏面内向きに形成するとともに、他の一対の縁部を可撓性のある自由端縁とし、前記パネル板の裏面で両自由端縁に沿って、略全長にわたって湾曲縁を設けた剛性を有する保形部材を配置し、該保形部材の湾曲縁を前記パネル板の裏面に直接的又は間接的に圧接するとともに、該保形部材の両端部を前記両補強縁に固定し、前記パネル板を湾曲形状に保持することを特徴とする湾曲パネルを構成した（請求項１）。
【０００７】
また、前記両保形部材の間に、略全長にわたって湾曲縁を設けた補助保形部材を単又は複数間隔を置いて配置し、該補助保形部材の湾曲縁を前記パネル板の裏面に直接的又は間接的に圧接するとともに、該保形部材の両端部を前記両補強縁に固定してなることも好ましい（請求項２）。
【０００８】
更に、  前記パネル板の自由端縁側の端部で、該自由端縁を覆うように化粧部材を前記両保形部材に外覆して取付けてなることがより好ましい（請求項３）。
【０００９】
そして、前記パネル板の裏面の略全面に補強板を重合状態で配置し、該補強板を前記パネル板の両補強縁で保持するとともに、前記保形部材又は前記保形部材と補助保形部材の湾曲縁を当該補強板に圧接してなることも好ましい（請求項４）。
【発明の効果】
【００１０】
以上にしてなる請求項１に係る発明の湾曲パネルは、剛性を有する保形部材をパネル板の裏面で両自由端縁に沿って配置し、その湾曲縁をパネル板の裏面に直接的又は間接的に圧接するとともに、該保形部材の両端部をパネル板の一対の縁部に形成した直線状態を維持する両補強縁に固定することによって、パネル板を保形部材の湾曲縁の形状に沿った湾曲形状に保持することができ、パネル板には補強縁以外の加工は施さないので、パネル板の表面に波板模様やその他の凹凸模様を形成することができ、一対の補強縁と両側の保形部材によって強固な四角形のフレーム構造としたので、湾曲形状の形状安定性にも優れたたものとなる。
【００１１】
請求項２によれば、両保形部材間のスパンが長い場合でも、その間に単又は複数の補助保形部材を配置し、該補助保形部材の両端部をパネル板の両補強縁に固定することによって、形状安定性を高めることができる。
【００１２】
請求項３によれば、化粧部材によってパネル板の自由端縁を覆うことができ、パネル板としてスチール板を用いて切断縁が自由端縁となっている場合でも安全性を高めることができるとともに、また化粧部材で両保形部材も外覆するので外観性の向上も図れるのである。
【００１３】
請求項４によれば、保形部材又は保形部材と補助保形部材の湾曲縁が補強板に圧接するので、つまり補強板を介して保形部材と補助保形部材の湾曲縁が前記パネル板の裏面に間接的に圧接するので、応力が分散されるので、パネル板の局所的な変形を抑制することができ、表面側から見た時の光の反射具合に不自然さが生じないのである。また、パネル板の厚さが薄い場合でも、その裏面に補強板を重合することによって曲げ強度が高くなり、またパネル板の加工性も良好であるので、表面に波板模様やその他の凹凸模様を形成することも容易である。
【発明を実施するための最良の形態】
【００１４】
次に、添付図面に示した実施形態に基づき、本発明を更に詳細に説明する。図１は、本発明に係る湾曲パネルＡを幕板として用いた折畳み式テーブルＢを示し、図２〜図６は本発明に係る湾曲パネルＡの実施形態を示し、図中符号１はパネル板、２は補強板、３は保形部材、４は補助保形部材、５は化粧部材をそれぞれ示している。
【００１５】
本発明に係る湾曲パネルＡは、正面視長方形で短辺側が側面視において湾曲した形状のものである。図１に示した折畳み式テーブルＢは、両側に配した脚部Ｂ１，Ｂ１の上端部に天板Ｂ２の下面に固定した支持体Ｂ３に上下回動可能に連結するとともに、前記両脚部Ｂ１，Ｂ１の後方で天板Ｂ２の下方に前記湾曲パネルＡからなる幕板Ｂ４を配し、該幕板Ｂ４は複数のアームＢ５によってヒンジ連結し、前記天板Ｂ２の折畳み動作に連動して該天板Ｂ２の後縁直下に立起した状態から前記脚部Ｂ１の後縁の湾曲形状に沿って畳まれた状態に変化するようになっている。ここで、前記幕板Ｂ４は、側面視形状において前記脚部Ｂ１の後縁の湾曲形状に調和するように湾曲した形状としている。
【００１６】
次に、本発明に係る湾曲パネルＡは、パネル板１の裏面に補強板２を重合状態で配置し、一対の側縁部に保形部材３，３を設けるとともに、適宜両保形部材３，３の間に単又は複数の補助保形部材４を設け、前記保形部材３，３によって、あるいは前記保形部材３，３と補助保形部材４によって前記パネル板１を湾曲形状に形状保持し、更に保形部材３，３を外覆するように化粧部材５，５を取付けた構造となっている。
【００１７】
更に詳しくは、前記パネル板１は、図２〜図４に示すように、曲げ弾性を有する長方形状のスチール板をプレス加工して形成する。本実施形態では、前記パネル板１は、表面板６の一対の長辺側縁部を内向きに断面略コ字形に折り返して補強縁７，７を形成し、他の一対の短辺側縁部を自由端縁８，８としたものである。ここで、前記補強縁７は、表面板６の端縁を略直角に折曲して縁板９を形成するとともに、該縁板９から内向きに略直角に折曲して保持板１０を形成し、更に該保持板１０から表面板６の裏面に向けて略直角に折曲片１１を係止し、直線状態を維持する剛性が高い構造となっており、そして前記表面板６と縁板９、保持板１０及び折曲片１１とで係合溝１２を形成している。尚、前記表面板６の裏面と前記折曲片１１の端縁との間には空間を設けている。また、前記自由端縁８は、スチール板の切断縁をそのまま、あるいはバリ取り加工しただけのものであり、可撓性を有する構造となっている。
【００１８】
前記補強板２は、図２〜図４に示すように、スチール板からなる長方形状であり、長辺の長さは前記パネル板１の長辺の長さに略一致し、短辺の長さは前記パネル板１の両補強縁７，７の縁板９，９間の間隔よりも若干短く設定している。また、前記補強板２は、前記保形部材３、補助保形部材４による表面板６の局所的変形を抑制できればよいので、板厚として０．５ｍｍのものを用いている。
【００１９】
前記保形部材３は、図２〜図４に示すように、略全長にわたって湾曲縁１３を設けた剛性を有するスチール製長尺部材であり、特に強度が要求されるので板厚１．６ｍｍのスチール板をプレス加工して作製している。本実施形態では、前述の折畳み式テーブルＢの幕板Ｂ４として使用するので、アームＢ５を連結するためのヒンジ片１４，１４を形成している。具体的は、前記保形部材３は、基板１５の両側に側板１６，１６を折曲形成した断面略コ字形の長尺部材であり、前記側板１６，１６の端縁を所望の曲率が得られるように前記湾曲縁１３，１３となしたものである。前記ヒンジ片１４，１４は、一方の側板１６の延長線上に設け、前記基板１５及び他方の側板１６の一部を切起して形成している。また、前記保形部材３の両端部には、前記パネル板１の補強縁７，７に固定する固定片１７，１７を形成している。ここで、前記固定片１７は、前記基板１５に対して段状に背面側へ突出させて形成し、中心部に孔１８をそれぞれ形成している。
【００２０】
前記パネル板１の表面板６及び補強板２は、図４（ｂ）に示すように、略平面状であり、前記保形部材３，３を所定位置に取付けることによって、図４（ａ）に示すように湾曲した形状となるのである。詳しくは、前記保形部材３は、前記パネル板１の裏面で両自由端縁８，８に沿って配置し、前記固定片１７を補強縁７の端部の折曲片１１を切り欠いた部分から係合溝１２内に挿入し、前記保持板１０の内側に重合した状態で、該保持板１０に設けた孔１９と前記孔１８とを利用してネジ止め又はリベット止めするか、あるいは爪と孔による係合構造や溶接、接着等の適宜な固定手段で固定する。この際、前記表面板６の裏面には前記補強板２を重合状態に保持し、前記保形部材３，３の湾曲縁１３，１３を該補強板２に圧接して、前記パネル板１の表面板６及び補強板２を湾曲縁１３に沿った形状に湾曲させるのである。ここで、前記パネル板１の板厚が十分に厚く、前記保形部材３の湾曲縁１３が圧接した部分の表面板６の局所的な変形が生じなければ、前記補強板２を省略することも可能である。
【００２１】
そして、図３に示すように、両保形部材３，３間のスパンが長い場合は、その間に単又は複数の補助保形部材４を配置し、該補助保形部材４の両端部をパネル板１の両補強縁７，７に固定するとともに、該補助保形部材４の湾曲縁２０を前記パネル板１の裏面に重合した補強板２に圧接することによって、形状安定性を高めるのである。ここで、前記補助保形部材４は、図２及び図５に示すように、断面略コ字形の長尺部材であり、前記ヒンジ片１４，１４が無い以外は前記保形部材３と略同じ構造を有している。つまり、前記補助保形部材４は、基板２１の両側に側板２２，２２を折曲形成した断面略コ字形の長尺部材であり、前記側板２２，２２の端縁に前記保形部材３の湾曲縁１３と同じ曲率の湾曲縁２０，２０を形成したものである。また、前記補助保形部材４の両端部は、前記基板２１の延長線上に固定片２３，２３を形成し、該固定片２３の中心部に孔２４を形成している。そして、前記補助保形部材４は、前記両保形部材３，３の間であって前記パネル板１の裏面側に配置し、両端部の固定片２３，２３を前記補強縁７，７の保持板１０，１０の外側面に重合した状態で、該保持板１０に形成した孔２５と前記孔２４とを利用してネジ止め又はリベット止めするか、あるいは爪と孔による係合構造や溶接、接着等の適宜な固定手段で固定する。ここで、前記補助保形部材４の横幅、つまり基板２１の横幅は広くても良く、極端には前記パネル板１の裏面略全面を覆うような広さのものでも良いが、その場合には前記湾曲縁２０を有する側板２２に相当する部材を所定間隔で突設するものとする。
【００２２】
前記化粧部材５は、合成樹脂製であり、図２、図３及び図６に示すように、前記パネル板１の自由端縁８，８側の端部で、該自由端縁８を覆うように前記保形部材３に外覆して取付ける。具体的には、前記化粧部材５は、前記パネル板１の自由端縁８と両補強縁７，７の端部を受け入れる側カバー部２６と、前記保形部材３を外覆する裏カバー部２７とを備えている。そして、前記パネル板１に前記保形部材３を取付けた状態で、側方から当該化粧部材５をパネル板１の端部に嵌合して、前記パネル板１の側カバー部２６で自由端縁８を覆うとともに、裏カバー部２７で前記保形部材３を外覆し、該保形部材３の基板１５の裏面に当接した裏カバー部２７を該基板１５にネジ止めして取付ける。
【００２３】
本実施形態では、前記パネル板１が平面状のスチール板である例であるが、波板等の凹凸を有するものでも良く、また材質もアクリル板等の合成樹脂板やベニヤ板等の合板でも構わないのである。また、前記補強板２の材質として、スチール板以外に、アルム板、合成樹脂板等適宜選択できる。そして、前記保形部材３や補助保形部材４の材質も剛性の高いものであれば適宜採用でき、スチール板を板金加工したもの以外にもアルミダイカスト製、合成樹脂成形品、木製等適宜採用できる。
【００２４】
また、用途によって強度が不足する場合には、図７及び図８に示すように、前記パネル板１の裏面側で両保形部材３，３に渡って補強部材２８を設けることができる。この場合、前記補助保形部材４に部分的に切欠部を設け、前記補強部材２８を補助保形部材４に対して貫通させ、更に該補強部材２８を前記補強板２に接触するように取付ける。尚、前記補強板２を省略できる場合には、補強部材２８が前記パネル板１の表面板６の裏面に直接接触する。ここで、本発明に係る湾曲パネルＡを単独で使用する場合、前記補助保形部材４や補強部材２８を裏板で完全に隠すことも好ましい。
【００２５】
また、図９に示したものは、他の実施形態である。前述の実施形態では、前記保形部材３の湾曲縁１３や補助保形部材４の湾曲縁２０が前記パネル板１の裏面に重合した補強板２の裏面あるいはパネル板１の表面板６の裏面に圧接する構造を示したが、製造誤差やパネル板１に変形力が作用した際に、湾曲縁１３、２０と表面板６あるいは補強板２との間に隙間が生じてガタつきが発生する場合も想定される。本実施形態は、前記保形部材３の両側板１６，１６間の凹溝部及び前記補助保形部材４の両側板２２，２２間の凹溝部に、発泡ポリエチレン、発泡ウレタン、ゴム、エラストマー等で成形した弾性変形部材２９を装着し且つ該弾性変形部材２９が前記湾曲縁１３、２０から若干突出するように設定し、該弾性変形部材２９が前記補強板２の裏面あるいはパネル板１の表面板６の裏面に変形しながら圧接する構造とし、ガタつきやガタつきによる音の発生を防止している。しかし、この場合も前記パネル板１の表面板６を湾曲形状に保持するのは、前記保形部材３の湾曲縁１３と補助保形部材４の湾曲縁２０であることには違いがない。また、前記保形部材３の湾曲縁１３と補助保形部材４の湾曲縁２０に沿ってパッキン又はそれに類似する緩衝部材を被せて、前記補強板２との間でガタつきやガタつきによる音の発生を防止するようにすることも好ましい。
【００２６】
このような本発明に係る湾曲パネルＡの他の用途としては、図１０に示すように、部屋の内部に独立して存在する四角形の構造柱Ｃの周囲を覆うように装着する柱巻きパネルとして使用することができる。この場合、パネル板１の湾曲形状によって四角形の構造柱Ｃを丸みを帯びた外観にすることができる。
【００２７】
また、本発明に係る湾曲パネルＡの更に他の用途としては、図１１に示すように、複数枚側方へ連結して室内空間を区画する衝立パネルとして用いることも可能であり、更に図示しないが通常構造の間仕切パネルのパネル板の代わりに用いることも可能である。
【図面の簡単な説明】
【００２８】
【図１】本発明の湾曲パネルを幕板として使用した折畳み式テーブルの側面図である。
【図２】本発明の湾曲パネルの分解斜視図である。
【図３】同じく湾曲パネルの背面図である。
【図４】パネル板、補強板及び保形部材との関係を示し、（ａ）は組立状態の断面図、（ｂ）は分解状態の断面図である。
【図５】パネル板、補強板及び補助保形部材との関係を示し、（ａ）は組立状態の断面図、（ｂ）は分解状態の断面図である。
【図６】パネル板の端部に化粧部材を取付けた状態の断面図である。
【図７】補強部材を設けた湾曲パネルの背面図である。
【図８】同じく補強部材を設けた湾曲パネルの背面図である。
【図９】弾性変形部材を用いた他の実施形態であり、パネル板、補強板及び保形部材との関係を示し、（ａ）は組立状態の断面図、（ｂ）は分解状態の断面図である。
【図１０】本発明の湾曲パネルを柱巻きパネルとして用いた例を示す斜視図である。
【図１１】本発明の湾曲パネルを衝立パネルとして用いた例を示す斜視図である。
【符号の説明】
【００２９】
Ａ  湾曲パネル          Ｂ  折畳み式テーブル
１  パネル板            ２  補強板
３  保形部材            ４  補助保形部材
５  化粧部材            ６  表面板
７  補強縁              ８  自由端縁
９  縁板                １０  保持板
１１  折曲片            １２  係合溝
１３  湾曲縁            １４  ヒンジ片
１５  基板              １６  側板
１７  固定片            １８  孔
１９  孔                ２０  湾曲縁
２１  基板              ２２  側板
２３  固定片            ２４  孔
２５  孔                ２６  側カバー部
２７  裏カバー部        ２８  補強部材
２９  弾性変形部材
Ｂ１  脚部              Ｂ２  天板
Ｂ３  支持体            Ｂ４  幕板（湾曲パネル）
Ｂ５  アーム
【図１】
2006204657.tif 000003
【図２】
2006204657.tif 000004
【図３】
2006204657.tif 000005
【図４】
2006204657.tif 000006
【図５】
2006204657.tif 000007
【図６】
2006204657.tif 000008
【図７】
2006204657.tif 000009
【図８】
2006204657.tif 000010
【図９】
2006204657.tif 000011
【図１０】
2006204657.tif 000012
【図１１】
2006204657.tif 000013